(57)【要約】【課題】ショックマウント部材の硬度を容易に選択可能となるように構成することで、モデルに応じて最適な振動雑音性能を有するキャンセル方式を採用したダイナミックマイクロホンを提供すること。【解決手段】ショックマウント部材１は、ゴム素材により偏平状に形成されると共に、環状の外周体１ａと環状の内周体１ｂとが、放射方向に形成された複数の連結部１ｃを介して一体成形され、前記外周体１ａと内周体１ｂとの間に、円弧状のスリット１ｄが形成される。また前記各連結部１ｃには、厚さ方向に貫通する複数の開口１ｅがそれぞれ施されている。このショックマウント部材１における前記外周体の外周縁部１ｆがマイクロホンケース３１に取り付けられると共に、前記内周体の内周縁部１ｇにおいてマイクロホンユニット１１の背部気室２２を構成する中空体２１が支持される。【選択図】図１
2014057137.tif 000002
【特許請求の範囲】
【請求項１】
ゴム素材により偏平状に形成されると共に、環状の外周体と環状の内周体とが複数の連結部を介して一体成形されてなるショックマウント部材であって、
前記外周体と内周体とを連結する連結部のうちの少なくとも１つには、厚さ方向に貫通する少なくとも１つの開口が施されていることを特徴とするショックマウント部材。
【請求項２】
ゴム素材により偏平状に形成されると共に、環状の外周体と環状の内周体とが複数の連結部を介して一体成形され、前記外周体と前記内周体との間、かつ前記各連結部の間において、スリットが形成されてなるショックマウント部材であって、
前記外周体と内周体とを連結する連結部のうちの少なくとも１つには、厚さ方向に貫通する少なくとも１つの開口が施されていることを特徴とするショックマウント部材。
【請求項３】
前記各連結部は、周方向に等間隔で形成されていることを特徴とする請求項１または請求項２に記載されたショックマウント部材。
【請求項４】
前記各連結部には、同数の前記開口がそれぞれ施されていることを特徴とする請求項１ないし請求項３のいずれか１項に記載されたショックマウント部材。
【請求項５】
請求項１ないし請求項４のいずれか１項に記載されたショックマウント部材を用いたダイナミックマイクロホンであって、
前記ショックマウント部材における前記外周体の外周縁部がマイクロホンケースに取り付けられると共に、前記内周体の内周縁部においてマイクロホンユニットもしくはマイクロホンユニットの背部気室を構成する中空体を支持したことを特徴とするダイナミックマイクロホン。
【請求項６】
前記ショックマウント部材に施された複数の開口により分割された前記連結部を、選択的に切除したことを特徴とする請求項５に記載されたダイナミックマイクロホン。
【発明の詳細な説明】
【技術分野】
【０００１】
この発明はマイクロホンケース内において、マイクロホンユニットを支持するショックマウント部材およびこれを用いたダイナミックマイクロホンに関する。
【背景技術】
【０００２】
ダイナミックマイクロホンは、振動板に取り付けられたボイスコイルを磁気回路に形成された磁気ギャップ内に配置し、振動板の振動によってボイスコイルに音声電流を生成させることから動電型マイクロホンとも呼ばれている。
このダイナミックマイクロホンは、周知のとおりボーカル用のマイクロホンとして好適に用いられているが、ボイスコイルを備えた振動板を含む振動系の質量が大きいために、マイクロホンケースを手で握って使用する場合には、振動雑音（タッチノイズ）が生成され易いという問題を抱えている。
【０００３】
そこで、この種のダイナミックマイクロホンの多くは、前記振動雑音を低減するための手段を備えている。
その手段の一つとして、振動板に生ずる慣性力を背部気室に生ずる圧力で相殺することで、振動雑音の発生を抑制するキャンセル方式が提案されている。
【０００４】
このキャンセル方式を採用したダイナミックマイクロホンは、マイクロホンユニットの背面側に、マイクロホンユニットの背部気室を構成する中空体が取り付けられる。
そして、前記マイクロホンユニットと前記中空体とは、ゴム素材により構成されたショックマウント部材を介して、マイクロホンケース内に取り付けられる。
【０００５】
このキャンセル方式を採用したダイナミックマイクロホンによると、振動を受けて例えばマイクロホンの軸方向に重力が加わった場合において、振動板およびボイスコイルを含む振動系が慣性力で止どまる作用が働き、前記ボイスコイルが磁気回路に対して相対移動しようとする動作が生ずる。
この時、前記中空体による背部気室に生ずる圧力変化が前記振動板の背面に作用し、結果として前記振動系が磁気回路に対して相対移動するのを抑えるキャンセル作用が発生する。これにより振動雑音の発生を効果的に低減させることが可能となる。
【０００６】
図７（Ａ），（Ｂ）は、前記したキャンセル方式を採用したダイナミックマイクロホンにおいて利用されている従来のショックマウント部材の全体構成を示した正面図および厚さ方向の中央部で切断した状態の断面図である。
このショックマウント部材１は、前記したとおりゴム素材により全体が円盤状に、すなわち円形状にして偏平状に形成されており、環状の外周体１ａと環状の内周体１ｂとが、放射方向に形成された連結部１ｃを介して一体に成形されている。
【０００７】
すなわち、前記した放射方向に形成された各連結部１ｃの間は、前記外周体１ａと内周体１ｂとの間で円弧状のスリット１ｄになされており、図７に示すショックマウント部材１は、周方向に１２０度の間隔で３つの連結部１ｃが形成されている。
そして、前記外周体１ａの外周縁部１ｆがマイクロホンケースの内壁面に取り付けられると共に、前記内周体１ｂの内周縁部１ｇにおいて、マイクロホンユニットもしくはマイクロホンユニットの背部気室を構成する中空体を支持するように構成されている。
【０００８】
なお、前記したキャンセル方式を採用したダイナミックマイクロホンについては、次に示す特許文献１に開示されている。
【先行技術文献】
【特許文献】
【０００９】
【特許文献１】特開２０１２−１５６９５号公報
【発明の概要】
【発明が解決しようとする課題】
【００１０】
ところで、前記した構成のショックマウント部材は、ＣＲ（クロロプレン）系のゴム素材が用いられており、このゴム素材は一般に±５度の公差で硬度の管理がなされている。
しかしながら、ショックマウント部材の硬度が前記公差の範囲内であるとしても、実際にダイナミックマイクロホンに装填して利用した場合においては、振動雑音の低減効果に大きなばらつきが生ずることが知られている。
【００１１】
図８は、その一例を示したものであり、前記した図７に示すショックマウント部材を利用したキャンセル方式のダイナミックマイクロホンについて、異なるゴム硬度によるショックマウント部材を用いた場合の特性を示している。
すなわち、図８において縦軸は信号対雑音比（振動雑音）、横軸は周波数を示したものであり、特性ａはゴム硬度が４２度のものによるショックマウント部材を用いた場合の例を示しており、特性ｂはゴム硬度が４７度のものによるショックマウント部材を用いた場合の例を示している。
【００１２】
図８に示す実例からも理解できるとおり、キャンセル方式を採用したダイナミックマイクロホンにおいて、ショックマウント部材のゴム硬度が５度上昇した場合においては、マイクロホンユニットおよびマイクロホンユニットの背部気室を構成する中空体とを含む被支持体の共振周波数が上昇し、これに伴い明らかに振動雑音のレベルが上昇する。
したがって、ショックマウント部材を構成するゴム硬度を、より厳しく管理することが可能であれば、振動雑音のばらつきを抑えることが可能になるものの、現実においてはショックマウント部材を構成するゴム素材の原材料を含めて硬度管理をすることは難しい。
【００１３】
以上のとおり、キャンセル方式を採用したダイナミックマイクロホンにおいては、ショックマウント部材の硬度の僅かなばらつき、例えばショックマウント部材の製造ロットの違いによっても、振動雑音の大幅なばらつきに発展するために、多量生産にあたり良好な振動雑音性能を有するダイナミックマイクロホンを安定して提供することが難しい。
【００１４】
この発明は従来のキャンセル方式を採用したダイナミックマイクロホンにおける前記した問題点に着目してなされたものであり、前記したショックマウント部材の硬度を容易に選択可能となるように構成することで、汎用性の高いショックマウント部材を提供することを課題とするものである。
加えてこの発明は前記したショックマウント部材を利用することにより、マイクロホンユニットおよびマイクロホンユニットの背部気室を構成する中空体とを含む被支持体の共振周波数を容易に選択可能にし、モデルに応じて最適な振動雑音性能を有するダイナミックマイクロホンを提供することを課題とするものである。
【課題を解決するための手段】
【００１５】
前記した課題を達成するためになされたこの発明に係るショックマウント部材は、ゴム素材により偏平状に形成されると共に、環状の外周体と環状の内周体とが複数の連結部を介して一体成形されてなるショックマウント部材であって、前記外周体と内周体とを連結する連結部のうちの少なくとも１つには、厚さ方向に貫通する少なくとも１つの開口が施されていることを特徴とする。
【００１６】
また、この発明に係るショックマウント部材は、ゴム素材により偏平状に形成されると共に、環状の外周体と環状の内周体とが複数の連結部を介して一体成形され、前記外周体と前記内周体との間、かつ前記各連結部の間において、スリットが形成されてなるショックマウント部材であって、前記外周体と内周体とを連結する連結部のうちの少なくとも１つには、厚さ方向に貫通する少なくとも１つの開口が施されていることを特徴とする。
【００１７】
前記したいずれのショックマウント部材においても、前記連結部は、周方向に等間隔で形成されていることが望ましく、また前記各連結部には、同数の前記開口がそれぞれ施されていることが望ましい。
【００１８】
一方、前記した課題を達成するためになされたこの発明に係るダイナミックマイクロホンは、前記した構成のショックマウント部材が用いられ、前記ショックマウント部材における前記外周体の外周縁部がマイクロホンケースに取り付けられると共に、前記内周体の内周縁部においてマイクロホンユニットもしくはマイクロホンユニットの背部気室を構成する中空体を支持したことを特徴とする。
【００１９】
加えて、前記したショックマウント部材に施された複数の開口により分割された前記連結部を、選択的に切除した構成が採用される。
【発明の効果】
【００２０】
前記した構成のショックマウント部材によると、外周体と内周体とが複数の連結部を介して、ゴム素材により一体成形され、外周体と内周体とを連結する各連結部には、厚さ方向に貫通する複数の開口がそれぞれ施された構成が採用される。
この構成によれば、前記各連結部に施された複数の各開口が連通するように、各開口により分割された各連結部を選択的に切除することにより、ショックマウント部材としての硬度を容易に選択することができる。これにより汎用性の高いショックマウント部材を提供することができる。
【００２１】
また、前記した構成のショックマウント部材を用いたダイナミックマイクロホンによると、ショックマウント部材としての硬度を容易に選択することができるので、ショックマウント部材を介して支持されるマイクロホンユニットおよびマイクロホンユニットの背部気室を構成する中空体とを含む被支持体の共振周波数を容易に選択することが可能となる。これにより、モデルに応じて最適な振動雑音性能を有するキャンセル方式を採用したダイナミックマイクロホンを提供することができる。
【図面の簡単な説明】
【００２２】
【図１】この発明に係るダイナミックマイクロホンの全体構成を示した中央断面図である。
【図２】図１に示すダイナミックマイクロホンに用いられるショックマウント部材の正面図および厚さ方向の中央部で切断した状態の断面図である。
【図３】図２に示すショックマウント部材の連結部の一部を切除した状態の正面図および断面図である。
【図４】図３に示すショックマウント部材の連結部の一部をさらに切除した状態の正面図および断面図である。
【図５】図４に示すショックマウント部材の連結部の一部をさらに切除した状態の正面図および断面図である。
【図６】ショックマウント部材の連結部の一部を順次切除した場合の振動雑音の変化を示した特性図である。
【図７】従来のショックマウント部材の例を示した正面図および厚さ方向の中央部で切断した状態の断面図である。
【図８】図７に示すショックマウント部材を用いたダイナミックマイクロホンにおける振動雑音の発生例を示した特性図である。
【発明を実施するための形態】
【００２３】
この発明に係るショックマウント部材およびこれを用いたダイナミックマイクロホンについて、図に示す実施の形態に基づいて説明するが、先にキャンセル方式を採用したダイナミックマイクロホンの全体構成について説明し、このダイナミックマイクロホンに用いられるショックマウント部材の詳細な構成については、後で説明する。
【００２４】
図１は、キャンセル方式を採用したこの発明に係るダイナミックマイクロホンの全体構成を断面図で示したものである。
符号１１はマイクロホンユニットを示しており、このマイクロホンユニット１１は周知のとおり、ボイスコイルを備えた振動板１２および前記ボイスコイルが振動可能に配置された磁気ギャップを有する磁気回路１３を備えており、このマイクロホンユニット１１の前記磁気回路１３を構成するヨークの周側面が、円筒状に形成されたホルダー１４に嵌め込まれた状態で取り付けられている。
【００２５】
また、前記円筒状のホルダー１４を介してマイクロホンユニット１１の背部気室２２を形成する中空体２１が接続されている。すなわち、前記中空体２１に囲まれた背部気室２２は、前記マイクロホンユニット１１における振動板１２の背面に連通するように構成されており、前記中空体２１の末端部には開口２３が施され、この開口には通気抵抗体（開口２３と同一符号で示す。）が取り付けられている。
そして、前記マイクロホンユニット１１と前記中空体２１を含む被支持体は、ゴム素材により構成された第１のショックマウント部材１と、第２のショックマウント部材２に支持されて、マイクロホンケース３１内に取り付けられている。
【００２６】
前記第１のショックマウント部材１は、前記マイクロホンユニット１１と前記中空体２１を含む被支持体の全体の重量を支持する機能を果たすものであり、前記した被支持体全体の重心位置に配置されている。
また、前記第２のショックマウント部材２は、前記した被支持体がマイクロホンケース３１内においてローリングするのを防止するために、さらに前記したキャンセル方式を採用した場合において、前記中空体２１側を密閉するために配置されたものである。
【００２７】
前記中空体２１の外周面には円筒状に形成された錘２４が取り付けられている。この錘２４は、前記マイクロホンユニット１１と中空体２１を含む被支持体の全体の重心を、前記した第１のショックマウント部材１の支点に合わせるために配置されている。
これによりマイクロホンユニット１１は、マイクロホンケース３１内でのローリングがより抑制され、マイクロホンユニット１１のローリングにより発生する振動雑音も低減させるように作用する。
なお、図１における符号２６は前記マイクロホンケース３１内を密封するための封止部材である。
【００２８】
図１に示すマイクロホンケース３１の下端部には、接続ピンを備えた出力コネクタ３３が配置されており、この出力コネクタ３３を構成する接続ピンは、絶縁基台３４に植設されてマイクロホンケース３１の下底部内に配置されている。
【００２９】
図２（Ａ）および（Ｂ）は、この発明に係る第１のショックマウント部材１の全体構成を示した正面図および厚さ方向の中央部で切断した状態の断面図である。
このショックマウント部材１は、図７に基づいてすでに基本形態を説明したとおり、ゴム素材（ＣＲ系ゴム）により全体が円盤状に、すなわち円形状にして偏平状に形成されており、環状の外周体１ａと環状の内周体１ｂとが、放射方向に形成された連結部１ｃを介して一体に成形されている。
【００３０】
前記した外周体１ａと内周体１ｂとの間における放射方向に形成された前記各連結部１ｃによって挟まれた部分は、円弧状のスリット１ｄになされており、この実施の形態においては、周方向に１２０度の間隔で３つの連結部１ｃが形成されると共に、３つの円弧状のスリット１ｄが形成されている。
また、前記外周体１ａと内周体１ｂとを連結する各連結部１ｃには、厚さ方向に貫通する複数の開口１ｅが、各連結部１ｃの周方向に沿って円弧状に配列されて施されている。
【００３１】
図２に示すように、前記した連結部１ｃの各々には偶数個でそれぞれ同数の開口１ｅが形成されており、この例においては１つの連結部１ｃにおいて合計６つの開口１ｅがそれぞれ施されている。しかもこの例においては、放射方向に細長い開口１ｅが各連結部１ｃの中央部を除いた両外側寄りに、すなわち円弧状のスリット１ｄ寄りに、それぞれ３つずつ集中して形成されている。
この構成により前記連結部１ｃは細長い各開口１ｅによって、周方向にさらに分割されている。
【００３２】
前記した構成のショックマウント部材１は、前記外周体１ａの外周縁部１ｆがマイクロホンケース３１の内壁面に取り付けられる。このために、図２（Ｂ）の断面図に示されたように、ショックマウント部材１の外周縁の３か所にビス挿入穴１ｈが形成されており、前記マイクロホンケース３１に挿通される図示せぬビスにより、ショックマウント部材１はマイクロホンケース３１内に装着される。
【００３３】
またショックマウント部材１における内周体１ｂの内周縁部１ｇにおいて、マイクロホンユニット１１の背部気室２２を構成する中空体２１を支持するように構成されている。
なお、図１に示す例においては、第１のショックマウント部材１は、マイクロホンユニット１１の背部気室２２を構成する中空体２１を支持するように構成されているが、第１のショックマウント部材１によってマイクロホンユニット１１を支持するように構成される場合もある。
【００３４】
前記した第１のショックマウント部材１の構成によると、３か所に形成された前記各連結部１ｃにおいて、６つの開口１ｅがそれぞれ周方向に施されて、連結部１ｃが周方向に分割されている。したがって、前記した円弧状のスリット１ｄ側から分割された連結部１ｃを順に切除することで、円弧状のスリット１ｄに各開口１ｅが連通し、図３〜図５に示すように円弧状のスリット１ｄの周方向の長さを順に拡張することができる。なお、図３〜図５においては、図２に比較して符号の記載を適宜省略して示している。
このように、円弧状のスリット１ｄの周方向の長さを順に拡張することで、連結部１ｃの周方向の幅は順次狭くなり、ショックマウント部材１の実質的なゴム硬度は低下することになる。
【００３５】
図６は、この発明に係る図２〜図５に示す構成のショックマウント部材１をそれぞれ利用して、図１に示すキャンセル方式のダイナミックマイクロホンを構成した場合の振動雑音特性を示したものであり、縦軸は信号対雑音比（振動雑音）、横軸は周波数を示している。すなわち、図６に示す特性ａは図２に示すショックマウント部材１を利用した場合の振動雑音特性を示しており、図６に示す特性ｂ〜ｄは、それぞれ図３〜図５に示したショックマウント部材１を利用した場合の振動雑音特性を示している。
なお、図６に示す特性ｅは、図２に示すショックマウント部材１を利用した場合のマイクロホンの周波数レスポンスを示している。
【００３６】
図６に示す振動雑音特性から理解できるとおり、複数の開口１により分割された連結部１ｃを順に切除することで、マイクロホンユニットとその背部気室を構成する中空体とを含む被支持体の共振周波数を順に下げることができ、振動雑音のレベルを調整することができる。
したがって、この発明に係るショックマウント部材をキャンセル方式を採用したダイナミックマイクロホンに利用することで、それぞれのモデルに応じて振動雑音レベルを調整することが可能になるなど、前記した発明の効果の欄に記載したとおりの作用効果を得ることができる。
【００３７】
なお、この発明に係るショックマウント部材は、図２〜図５に示したように、複数の開口１ｅにより分割された連結部１ｃを、スリット１ｄに近い方から一対ごとに切除した例を示しているが、その一対のうちの一方のみの分割された連結部１ｃを切除することで、振動雑音のレベルをさらに細かいレベルで調整することが可能となる。
また、開口１ｅにより分割された連結部１ｃを、スリット１ｄに近い方から順に切除することなく、開口１ｅ同士を連通させるように連結部１ｃを切除することで、振動雑音のレベルを調整することもできる。
【符号の説明】
【００３８】
１      第１のショックマウント部材
１ａ    外周体
１ｂ    内周体
１ｃ    連結部
１ｄ    スリット
１ｅ    開口
１ｆ    外周縁
１ｇ    内周縁
１ｈ    ビス挿入穴
２      第２のショックマウント部材
１１    マイクロホンユニット
１２    振動板
１３    磁気回路
１４    ホルダー
２１    中空体
２２    背部気室
２３    開口（通気抵抗体）
２４    錘
２６    封止部材
３１    マイクロホンケース
３３    出力コネクタ
３４    絶縁基台
【図１】
2014057137.tif 000003
【図２】
2014057137.tif 000004
【図３】
2014057137.tif 000005
【図４】
2014057137.tif 000006
【図５】
2014057137.tif 000007
【図６】
2014057137.tif 000008
【図７】
2014057137.tif 000009
【図８】
2014057137.tif 000010